(57)【要約】【課題】  スチール等の筒状の形成に向かない素材であっても、サッシとしての排水性能を発揮してサッシ直下への水の移動を防止することができるサッシ構造を提供する。【解決手段】  建具１は、ガラス窓６を保持する保持枠体８と、保持枠体８を下方から支持する水切り支持体７と、を備える。水切り支持体７は、保持枠体８を受ける平面部７ａと、平面部７ａの一方の側端部から下り傾斜状に傾斜する第１の傾斜部７ｂと、平面部７ａの他方の側端部から下り傾斜状又は第１の傾斜部７ｂ側に向けて下り傾斜状に傾斜する第２の傾斜部７ｃと、を備える。保持枠体８は、平面部７ａの表面に面接触又は線接触した状態で固定される。【選択図】  図２
2014211031.tif 000002
【特許請求の範囲】
【請求項１】
ガラス窓を保持する保持枠体と、前記保持枠体を下方から支持する水切り支持体と、を備え、
前記水切り支持体は、
前記保持枠体を受ける平面部と、
前記平面部の一方の側端部から下り傾斜状に傾斜する第１の傾斜部と、
前記平面部の他方の側端部から下り傾斜状又は前記第１の傾斜部側に向けて下り傾斜状に傾斜する第２の傾斜部と、
を備え、
前記保持枠体は、前記平面部の表面に面接触又は線接触した状態で固定される、
サッシ構造。
【請求項２】
前記保持枠体は、前記水切り支持体の平面部に所定の間隔で点付け溶接される、請求項１に記載のサッシ構造。
【請求項３】
前記水切り支持体は、前記平面部の他方の側端部から立ち上がる立上り壁部を備え、
前記第２の傾斜部は、前記立上り壁部の上端部から下り傾斜状に傾斜する、
請求項１又は２に記載のサッシ構造。
【請求項４】
前記水切り支持体の長さ方向の両端部には、それぞれ、前記平面部に対して前記第１の傾斜部側の最外端部から前記第２の傾斜部側の最外端部にかけて延在する側壁部が設けられており、
それぞれの前記側壁部の上端部は、少なくとも前記立上り壁部の上端部と同じ又は前記立上り壁部の上端部よりも上方に位置する、
請求項３に記載のサッシ構造。
【請求項５】
互いに裏面を対向して設けられる一対の壁パネルと、前記一対の壁パネルを貫通して設けられる開口部と、前記開口部に設置されるサッシ構造とを備え、
前記サッシ構造は、
前記開口部の一方の開口縁と他方の開口縁との間でガラス窓を保持する保持枠体と、
前記保持枠体を下方から支持する水切り支持体と、
を備え、
前記水切り支持体は、
前記保持枠体を受ける平面部と、
前記平面部の一方の側縁部から下り傾斜状に傾斜する第１の傾斜部と、
前記平面部の他方の側縁部から下り傾斜状又は前記第１の傾斜部側に向けて下り傾斜状に傾斜する第２の傾斜部と、
を備えて前記開口部の下端部のうち一方の開口縁から他方の開口縁までを覆う笠木状に形成され、
前記保持枠体は、前記平面部の表面に面接触又は線接触した状態で固定される、
開口水切り構造。
【請求項６】
前記一対の壁パネルのうち、少なくとも前記サッシ構造の第１の傾斜部側に位置する一方の壁パネルは外壁を形成し、他方の壁パネルは外階段室、外廊下部、ピロティ、及び、駐車場の少なくともいずれかを含む準外部空間に面する壁面を形成する、
請求項５に記載の開口水切り構造。
【発明の詳細な説明】
【技術分野】
【０００１】
本発明は、サッシ構造、及び、開口水切り構造に関する。
【背景技術】
【０００２】
建物の壁面に開口部を形成し、開口部にガラス窓を嵌め込んで明り取り等を行うものがある。この場合、壁面の開口部の縁部に沿ってサッシを設置し、サッシにガラス窓を保持させている。このような、ガラス窓を固定するサッシして、例えば、特許文献１に記載されたものがある。開口部にガラス窓を設置する場合、ガラス窓に付着した水滴はガラス窓の表面を伝って下方に流れる。このガラス窓の表面を伝う水を所定位置に排水するため、特許文献１に記載されたサッシでは、ガラス窓を受ける部位を筒状に形成し、筒形状の内側を排水路として利用している。より詳細には、筒状のサッシは、上部でガラス窓を受け、ガラス窓を伝ってサッシの上部に流れ落ちてきた水を筒状のサッシ内に設けられた排水路に導き、サッシの延在方向の所定位置に水を導いた後、排水孔よりサッシ外に排水している。これにより、サッシの直下に水が移動することが防止される。
【先行技術文献】
【特許文献】
【０００３】
【特許文献１】特開２００９−２９３２０４号公報
【発明の概要】
【発明が解決しようとする課題】
【０００４】
特許文献１に記載されたサッシでは、ガラス窓を受ける部位を筒状に形成し、筒形状の内側を排水路として用いている。このような筒状のサッシを形成するために、サッシの材料としてアルミを用い、押し出し加工によって成形が行われている。しかしながら、サッシの材料としてアルミを用いる場合、サッシの防火性能が低い。防火性能の高い材料としては、スチールが挙げられるが、スチールを押し出し加工によって筒状に形成することは著しく困難である。このため、防火性能の高いスチールを用いる場合、特許文献１に記載されたサッシのように、サッシ直下への水の移動を防止する排水路を形成することができないという問題がある。
【０００５】
そこで、本発明は、スチール等の筒状の形成に向かない素材であっても、サッシとしての排水性能を発揮してサッシ直下への水の移動を防止することができるサッシ構造、及び、開口水切り構造を提供することを目的とする。
【課題を解決するための手段】
【０００６】
本発明の一側面に係るサッシ構造は、ガラス窓を保持する保持枠体と、保持枠体を下方から支持する水切り支持体と、を備える。水切り支持体は、保持枠体を受ける平面部と、平面部の一方の側端部から下り傾斜状に傾斜する第１の傾斜部と、平面部の他方の側端部から下り傾斜状又は第１の傾斜部側に向けて下り傾斜状に傾斜する第２の傾斜部と、を備える。保持枠体は、平面部の表面に面接触又は線接触した状態で固定される。
【０００７】
このサッシ構造では、ガラス窓及び保持枠体の第１の傾斜部側に付着する水滴は、重力落下等で水切り支持体の平面部に至り、その後、第１の傾斜部の下端部から排出される。また、平面部を挟んで第１の傾斜部側と対向する側に、水切り支持体の平面部から下り傾斜状又は第１の傾斜部に向けて下り傾斜状に傾斜する第２の傾斜部が設けられている。ガラス窓及び保持枠体の第２の傾斜部側に付着する水滴、及び、ガラス窓及び保持枠体を通過して第２の傾斜部側に浸入してきた水滴は、第２の傾斜部が平面部から下り傾斜状である場合には、第２の傾斜部の下端部から排水され、水切り支持体の直下に向かう水の移動が規制される。また、第２の傾斜部が第１の傾斜部側に向けて下り傾斜状である場合には、第２の傾斜部の傾斜により、第２の傾斜部側へ向かう水が塞き止められ、第２の傾斜部側の防水性が確保される。
【０００８】
また、保持枠体は平面部の表面に面接触又は線接触した状態で取り付けられているので、保持枠体と平面部との間を、第２の傾斜部側から第１の傾斜部側に向けて、或は、第１の傾斜部側から第２の傾斜部側に向けて、水が通過することができる。これにより、第２の傾斜部が第１の傾斜部側に向けて下り傾斜状である場合、ガラス窓及び保持枠体の第２の傾斜部側に付着する水滴は、水切り支持体の平面部に至った後、保持枠体と平面部との間を通って第２の傾斜部から第１の傾斜部側へ移動する。このように、ガラス窓及び保持枠体の第２の傾斜部側に付着する水滴を、第１の傾斜部側に移動させて第１の傾斜部の下端部から排出することができる。
【０００９】
以上のように、本発明の一側面に係るサッシ構造では、スチール等の筒状の形成に向かない素材であっても、サッシとしての排水性能を発揮してサッシ直下への水の移動を防止することができる。
【００１０】
保持枠体は、水切り支持体の平面部に所定の間隔で点付け溶接されていてもよい。この場合には、水切り支持体に孔等を形成することなく水切り支持体の平面部に保持枠体を固定することができ、保持枠体の固定強度を向上させることができる。また、点付け溶接間を水膜が通過することができるので、保持枠体と平面部との間における第２の傾斜部側から第１の傾斜部側への排水経路を維持することができる。
【００１１】
水切り支持体は、平面部の他方の側端部から立ち上がる立上り壁部を備え、第２の傾斜部は、立上り壁部の上端部から下り傾斜状に傾斜していてもよい。この場合には、平面部上の水滴が立上り壁部によって塞き止められ、平面部の他方の側端部側への防水性を確保することができる。また、たとえ立上り壁部を超えて第２の傾斜部側へ水滴が浸入しても、第２の傾斜部を下って水滴が排出され、水切り支持体の直下への水の移動を防止できる。
【００１２】
水切り支持体の長さ方向の両端部には、それぞれ、平面部に対して第１の傾斜部側の最外端部から第２の傾斜部側の最外端部にかけて延在する側壁部が設けられており、それぞれの側壁部の上端部は、少なくとも立上り壁部の上端部と同じ又は立上り壁部の上端部よりも上方に位置していてもよい。この場合には、水切り支持体に、水滴を所定方向に流す防水パンとしての機能を付与することができ、水切り支持体上に落下する水滴を水切り支持体によって所定方向に排出することができる。
【００１３】
本発明の一側面に係る開口水切り構造は、互いに裏面を対向して設けられる一対の壁パネルと、一対の壁パネルを貫通して設けられる開口部と、開口部に設置されるサッシ構造とを備える。サッシ構造は、開口部の一方の開口縁と他方の開口縁との間でガラス窓を保持する保持枠体と、保持枠体を下方から支持する水切り支持体と、を備える。水切り支持体は、保持枠体を受ける平面部と、平面部の一方の側縁部から下り傾斜状に傾斜する第１の傾斜部と、平面部の他方の側縁部から下り傾斜状又は第１の傾斜部側に向けて下り傾斜状に傾斜する第２の傾斜部と、を備えて開口部の下端部のうち一方の開口縁から他方の開口縁までを覆う笠木状に形成される。保持枠体は、平面部の表面に面接触又は線接触した状態で固定される。
【００１４】
この開口水切り構造では、開口部の下端部が水切り支持体によって覆われた状態でサッシ構造が開口部に嵌めこまれることとなる。このため、開口部の下側縁部に落下する水滴を、水切り支持体によって確実に第１の傾斜部側又は第２の傾斜部側から排出することができる。このように、本発明の一側面に係る開口水切り構造では、水切り支持体がスチール等の筒状の形成に向かない素材であっても、サッシとしての排水性能を発揮してサッシ直下への水の移動を防止することができる。
【００１５】
一対の壁パネルのうち、少なくともサッシ構造の第１の傾斜部側に位置する一方の壁パネルは外壁を形成し、他方の壁パネルは外階段室、外廊下部、ピロティ、及び、駐車場の少なくともいずれかを含む準外部空間に面する壁面を形成していてもよい。この場合には、集合住宅等の外階段室、外廊下部やピロティ、駐車場といった準外部空間の風雨を凌ぎつつガラス窓を介して準外部空間内に自然光を導入することができる。また、準外部空間に設けられるサッシ構造は、所定の水密性は要求されるものの、居室に設けられる窓部ほど高度な水密性が要求されるものではない。このため、上述したサッシ構造のような簡易な構成によって、ある程度の水密性を満たして壁面を伝っての水の流下を促しつつ、サッシ直下への水の流入を防止することができる。
【発明の効果】
【００１６】
本発明によれば、スチール等の筒状の形成に向かない素材であっても、サッシとしての排水性能を発揮してサッシ直下への水の移動を防止することができる。
【図面の簡単な説明】
【００１７】
【図１】一実施形態に係る建具の正面図である。
【図２】図１におけるＩＩ−ＩＩ線に沿った断面図である。
【発明を実施するための形態】
【００１８】
以下、本発明を適用した建具の一実施形態について図面を参照しながら説明する。なお、図面の説明において同一の要素には同一の符号を付し、重複する説明を省略する。
【００１９】
図１及び図２に示すように、建具（サッシ構造）１は、建物の壁面Ｗを貫通する開口部Ｒに設置される。壁面Ｗは、互いに裏面を対向して設けられる一対の壁パネルＷａによって構成される。壁パネルＷａは、図示しない建物の躯体に固定される。建具１が設けられる壁面Ｗは、屋外Ｓ１と、準外部空間Ｓ２とを区画する。ここで、準外部空間Ｓ２とは、外階段室、外廊下部、ピロティ、及び、駐車場等が設けられる空間である。壁面Ｗを構成する一対の壁パネルＷａのうち、一方の壁パネルＷａ（屋外Ｓ１に面する壁パネル）は外壁を形成し、他方の壁パネルＷａは準外部空間Ｓ２に面する壁面を形成する。
【００２０】
建具１は、上枠２、下枠３、側枠４、側枠５、及び、ガラス窓６を含んで構成される。上枠２、下枠３、側枠４及び側枠５は開口部Ｒを囲むように開口部Ｒの縁部に取り付けられる。ガラス窓６は、開口部Ｒに取り付けられた上枠２、下枠３、側枠４及び側枠５に保持される。
【００２１】
下枠３は、ガラス窓６の下端を支持する。より詳細には、下枠３は、水切り支持体７、及び、保持枠体８を含んで構成される。保持枠体８は、ガラス窓６の下端部において、ガラス窓６の屋外Ｓ１側の面及び準外部空間Ｓ２側の面を挟み込むようにして保持する。
【００２２】
水切り支持体７は、平面部７ａ、第１の傾斜部７ｂ、第２の傾斜部７ｃ、立上り壁部７ｅ、側壁部７ｇ、及び、側壁部７ｈを含んで構成される。平面部７ａ、第１の傾斜部７ｂ、第２の傾斜部７ｃ、及び、立上り壁部７ｅは、開口部Ｒの幅方向（図１の左右方向）に沿って延在する。
【００２３】
平面部７ａは、保持枠体８を下方側から支持する。第１の傾斜部７ｂは、平面部７ａの屋外Ｓ１側の側端部に接続され、屋外Ｓ１側に向かって下り傾斜状に傾斜する。第１の傾斜部７ｂの下端部には、段差状に屈曲された屈曲部７ｄが形成される。立上り壁部７ｅは、平面部７ａの準外部空間Ｓ２側の側端部に接続され、平面部７ａの準外部空間Ｓ２側の側端部から立ち上がる。第２の傾斜部７ｃは、立上り壁部７ｅの上端部に接続され、立上り壁部７ｅの上端部から準外部空間Ｓ２側に向かって下り傾斜状に傾斜する。第２の傾斜部７ｃの下端部には、段差状に屈曲された屈曲部７ｆが形成される。
【００２４】
保持枠体８は、開口部Ｒの幅方向に沿って所定の間隔で施される点付け溶接（スポット溶接）によって平面部７ａに固定される。即ち、保持枠体８は、平面部７ａの表面に面接触又は線接触した状態で固定される。開口部Ｒの幅方向に沿って所定の間隔で点付け溶接を行うことで、平面部７ａと保持枠体８との間において屋外Ｓ１側と準外部空間Ｓ２側との間を水膜が通過可能となっている。このように、平面部７ａと保持枠体８との間は、完全に塞がれているものではなく、水の往来が可能となっている。
【００２５】
平面部７ａにおける開口部Ｒの幅方向の両端部（水切り支持体７の長さ方向の両端部）には、それぞれ側壁部７ｇ及び側壁部７ｈが設けられる。側壁部７ｇ及び７ｈは、平面部７ａに対して第１の傾斜部７ｂ側の最外端部（第１の傾斜部７ｂの下端部）から第２の傾斜部７ｃ側の最外端部（第２の傾斜部７ｃの下端部）にかけて延在する。即ち、側壁部７ｇ及び７ｈによって、平面部７ａ、第１の傾斜部７ｂ、第２の傾斜部７ｃ及び立上り壁部７ｅが挟まれる。側壁部７ｇ及び７ｈの上端部は、立上り壁部７ｅの上端部よりも上方に位置する。なお、側壁部７ｇ及び７ｈの上端部と、立上り壁部７ｅの上端部とが同じ高さ位置であってもよい。また、側壁部７ｇ及び７ｈの上端は、開口部Ｒの側縁を構成する壁パネルＷａとシーリング材を介して接続される。
【００２６】
水切り支持体７は、開口部Ｒの下方に位置する一対の壁パネルＷａを跨ぐように設置される。即ち、水切り支持体７は、開口部Ｒの下端部のうち、一方の開口縁から他方の開口縁までを覆う笠木状に形成される。
【００２７】
水切り支持体７の材料として、スチール等の防火性能を有する材料を用いることができる。また、水切り支持体７は、建物の図示しない躯体に固定される。水切り支持体７と、開口部Ｒの下方に位置する一対の壁パネルＷａとの間には、シーリング材Ｘが充填される。これにより、水切り支持体７と壁パネルＷａとの隙間から、水切り支持体７の下方側に水滴等が浸入することがない。
【００２８】
本実施形態は以上のように構成され、ガラス窓６及び保持枠体８の第１の傾斜部７ｂ側に付着する水滴は、重力落下等で水切り支持体７の平面部７ａに至り、その後、第１の傾斜部７ｂの下端部から排出される。また、平面部７ａを挟んで第１の傾斜部７ｂ側と対向する側に、水切り支持体７の平面部７ａから下り傾斜状に傾斜する第２の傾斜部７ｃが設けられている。ガラス窓６及び保持枠体８の第２の傾斜部７ｃ側に付着する水滴、及び、ガラス窓６及び保持枠体８の隙間等を通過して第２の傾斜部７ｃ側に浸入してきた水滴は、第２の傾斜部７ｃの下端部から排水され、水切り支持体７の直下に向かう水の移動が規制される。
【００２９】
また、保持枠体８は平面部７ａの表面に面接触又は線接触した状態で取り付けられているので、保持枠体８と平面部７ａとの間を、第２の傾斜部７ｃ側から第１の傾斜部７ｂ側に向けて、或は、第１の傾斜部７ｂ側から第２の傾斜部７ｃ側に向けて、水が通過することができる。これにより、ガラス窓６及び保持枠体８の第２の傾斜部７ｃ側に付着する水滴は、水切り支持体７の平面部７ａに至った後、保持枠体８と平面部７ａとの間を通って第２の傾斜部７ｃから第１の傾斜部７ｂ側へ移動する。このように、ガラス窓６及び保持枠体８の第２の傾斜部７ｃ側に付着する水滴を、第１の傾斜部７ｂ側に移動させて第１の傾斜部７ｂの下端部から排出することができる。
【００３０】
以上のように、本実施形態に係る建具１では、スチール等の筒状の形成に向かない素材であっても、サッシとしての排水性能を発揮して建具１の直下への水の移動を防止することができる。
【００３１】
保持枠体８と平面部７ａとは、所定の間隔で点付け溶接される。この場合、水切り支持体７に孔等を形成することなく平面部７ａに保持枠体８を固定することができ、保持枠体８の固定強度を向上させることができる。また、点付け溶接間を水膜が通過することができるので、保持枠体８と平面部７ａとの間における第２の傾斜部７ｃから第１の傾斜部７ｂ側への排水経路を維持することができる。
【００３２】
平面部７ａの準外部空間Ｓ２側の側端部に立上り壁部７ｅが設けられているので、平面部７ａ上の水滴が立上り壁部７ｅによって塞き止められ、平面部７ａから準外部空間Ｓ２側への防水性を確保することができる。また、仮に、立上り壁部７ｅを超えて第２の傾斜部７ｃ側へ水滴が浸入しても、第２の傾斜部７ｃを下って水滴が排出され、水切り支持体７の直下への水の移動を防止できる。
【００３３】
平面部７ａ等の延在方向の両端部に側壁部７ｇ及び７ｈを設ける。これにより、水切り支持体７に、水滴を所定方向に流す防水パンとしての機能を付与することができ、水切り支持体７上に落下する水滴を水切り支持体７によって所定方向（第１の傾斜部７ｂの傾斜方向、又は、第２の傾斜部７ｃの傾斜方向）に排出することができる。
【００３４】
開口部Ｒの下端部が水切り支持体７によって覆われるように、建具１が開口部Ｒに嵌めこまれる。このため、開口部Ｒの下側縁部に落下する水滴を、水切り支持体７によって確実に第１の傾斜部７ｂ側又は第２の傾斜部７ｃ側から排出することができる。
【００３５】
建具１は、屋外Ｓ１と準外部空間Ｓ２とを区画する壁面Ｗに取り付けられる。これにより、集合住宅等の外階段室、外廊下部やピロティ、駐車場といった準外部空間Ｓ２の風雨を凌ぎつつガラス窓６を介して準外部空間Ｓ２内に自然光を導入することができる。また、準外部空間Ｓ２に設けられる建具１は、所定の水密性は要求されるものの、居室に設けられる窓部ほど高度な水密性が要求されるものではない。このため、上述した建具１のような簡易な構成によって、ある程度の水密性を満たして壁面を伝っての水の流下を促しつつ、建具１の直下への水の流入を防止することができる。
【００３６】
以上、本発明の一実施形態について説明したが、本発明は、上記実施形態に限定されるものではない。例えば、第２の傾斜部７ｃを、第１の傾斜部７ｂ側に向けて下り傾斜状に傾斜させてもよい。この場合には、第２の傾斜部７ｃの傾斜により準外部空間Ｓ２側へ向かう水が塞き止められ、準外部空間Ｓ２側の防水性が確保される。
【符号の説明】
【００３７】
１…建具（サッシ構造）、６…ガラス窓、７…水切り支持体、７ａ…平面部、７ｂ…第１の傾斜部、７ｃ…第２の傾斜部、７ｅ…立上り壁部、７ｇ，７ｈ…側壁部、８…保持枠体、Ｒ…開口部、Ｓ１…屋外、Ｓ２…準外部空間、Ｗ…壁面。
【図１】
2014211031.tif 000003
【図２】
2014211031.tif 000004